(57)【要約】【課題】呼制御カードの低消費電力化を図ることを可能とするネットワーク装置を提供する。【解決手段】ネットワーク装置２０は、複数の呼制御カードを有する。ネットワーク装置は、複数の呼制御カードの全体で制御する接続呼数が第１閾値を下回った場合に、複数の呼制御カードの中から、少なくとも１つの呼制御カードを選択するように構成された選択部２３と、選択部２３によって選択された呼制御カードを、新規呼の割り当てが制限された切断準備状態に遷移させるように構成された省電力制御部２４とを備える。【選択図】  図２
2012029268.tif 000002
【特許請求の範囲】
【請求項１】
複数の呼制御カードを有するネットワーク装置であって、
前記複数の呼制御カードの全体で制御する接続呼数が第１閾値を下回った場合に、前記複数の呼制御カードの中から、少なくとも１つの呼制御カードを選択するように構成された選択部と、
前記選択部によって選択された呼制御カードを、新規呼の割り当てが制限された切断準備状態に遷移させるように構成された省電力制御部とを備えることを特徴とするネットワーク装置。
【請求項２】
前記省電力制御部は、前記切断準備状態に遷移した呼制御カードで制御する接続呼数が第２閾値を下回った場合に、或いは、前記切断準備状態に遷移してから経過した時間が所定時間を超えた場合に、前記切断準備状態に遷移した呼制御カードに供給する電力を切断することを特徴とする請求項１に記載のネットワーク装置。
【請求項３】
前記複数の呼制御カードは、アクティブ系の呼制御カードと、前記アクティブ系の呼制御カードの代替で用いられるスタンバイ系の呼制御カードとを含み、
前記省電力制御部は、前記複数の呼制御カードの全体で制御する接続呼数が第３閾値を下回った場合に、前記スタンバイ系の呼制御カードに供給する電力を切断することを特徴とする請求項１に記載のネットワーク装置。
【請求項４】
前記複数の呼制御カードは、複数のカードセットを含み、
前記複数のカードセットのそれぞれは、アクティブ系の呼制御カードと、前記アクティブ系の呼制御カードの代替で用いられるスタンバイ系の呼制御カードとを含み、
前記省電力制御部は、前記複数のカードセットのうち、接続呼数が第４閾値を下回ったカードセットに含まれる前記アクティブ系の呼制御カード及び前記スタンバイ系の呼制御カードの双方に供給する電力を切断することを特徴とする請求項１に記載のネットワーク装置。
【請求項５】
前記複数の呼制御カードのうち、いずれかの呼制御カードに新規呼を割り当てるように構成された割当部をさらに備え、
前記割当部は、新規呼が割り当てられる呼制御カードが偏るように新規呼を割り当てることを特徴とする請求項１に記載のネットワーク装置。
【請求項６】
前記選択部は、前記複数の呼制御カードの中から、接続呼数が少ない呼制御カードを選択することを特徴とする請求項１に記載のネットワーク装置。
【請求項７】
前記切断準備状態に遷移した呼制御カードに格納されたユーザデータを前記切断準備状態に遷移していない呼制御カードに移行するように構成されたデータ移行部をさらに備えることを特徴とする請求項１に記載のネットワーク装置。
【請求項８】
前記切断準備状態に遷移した呼制御カードと対応するセルから送信される信号の送信電力の低減を指示するように構成された指示部をさらに備えることを特徴とする請求項１に記載のネットワーク装置。
【請求項９】
前記選択部は、前記複数の呼制御カードの全体で制御する接続呼のトラフィック量の履歴情報に基づいて、前記切断準備状態に遷移すべき呼制御カードを選択することを特徴とする請求項１に記載のネットワーク装置。
【請求項１０】
前記選択部は、前記複数の呼制御カードで制御する接続呼数に影響を与えるイベント情報に基づいて、前記切断準備状態に遷移すべき呼制御カードを選択することを特徴とする請求項１に記載のネットワーク装置。
【請求項１１】
前記選択部は、自装置に隣接（地理的・論理的な隣接関係は問わない）する他のネットワーク装置の状態に基づいて、前記切断準備状態に遷移すべき呼制御カードを選択することを特徴とする請求項１に記載のネットワーク装置。
【請求項１２】
複数の呼制御カードを有するネットワーク装置であって、
前記複数の呼制御カードのうち、少なくとも１つの呼制御カードを、新規呼の割り当てが制限された切断準備状態に遷移させるように構成された省電力制御部を備え、
前記省電力制御部は、前記複数の呼制御カードの全体で制御する接続呼数が第５閾値を上回った場合に、前記切断準備状態に遷移した呼制御カードを、新規呼の割り当てが許可された通常状態に遷移させることを特徴とするネットワーク装置。
【請求項１３】
前記省電力制御部は、前記複数の呼制御カードのうち、少なくとも１つの呼制御カードに供給する電力を切断し、
前記省電力制御部は、前記複数の呼制御カードの全体で制御する接続呼数が第６閾値を上回った場合に、電力が切断された呼制御カードに対する電力の供給を再開することを特徴とする請求項１２に記載のネットワーク装置。
【請求項１４】
前記複数の呼制御カードは、アクティブ系の呼制御カードと、前記アクティブ系の呼制御カードの代替で用いられるスタンバイ系の呼制御カードとを含み、
前記省電力制御部は、前記スタンバイ系の呼制御カードに供給する電力を切断し、
前記省電力制御部は、前記複数の呼制御カードの全体で制御する接続呼数が第７閾値を上回った場合に、電力が切断されたスタンバイ系の呼制御カードに対する電力の供給を再開することを特徴とする請求項１２に記載のネットワーク装置。
【請求項１５】
前記複数の呼制御カードは、複数のカードセットを含み、
前記複数のカードセットのそれぞれは、アクティブ系の呼制御カードと、前記アクティブ系の呼制御カードの代替で用いられるスタンバイ系の呼制御カードとを含み、
前記省電力制御部は、前記複数のカードセットのうち、少なくとも１つのカードセットに供給する電力を切断し、
前記省電力制御部は、前記複数の呼制御カードの全体で制御する接続呼数が第８閾値を上回った場合に、電力が切断されたカードセットに含まれるアクティブ系の呼制御カード及びスタンバイ系の呼制御カードの双方に対する電力の供給を再開することを特徴とする請求項１２に記載のネットワーク装置。
【請求項１６】
前記省電力制御部は、災害情報の受信に応じて、前記切断準備状態に遷移した呼制御カードを前記通常状態に遷移させることを特徴とする請求項１２に記載のネットワーク装置。
【請求項１７】
複数のセルを配下に有するネットワーク装置であって、
前記複数のセルのそれぞれが設定する接続呼数を前記複数のセル毎に管理するように構成された管理部と、
前記複数のセルのうち、接続呼数が第９閾値を下回ったセルから送信される信号の送信電力の低減を指示するように構成された指示部とを備えることを特徴とするネットワーク装置。
【発明の詳細な説明】
【技術分野】
【０００１】
本発明は、複数の呼制御カードを有するネットワーク装置に関する。
【背景技術】
【０００２】
従来、呼制御を行うネットワーク装置を有する移動通信システムが知られている。ネットワーク装置は、例えば、ＬＴＥなどの第１通信システム（第１ＲＡＴ（Ｒａｄｉｏ  Ａｃｃｅｓｓ  Ｔｅｃｈｎｏｒｏｌｇｙ））に設けられる無線基地局（ＭＭＥ、ｅＮｏｄｅＢなど）である。或いは、ネットワーク装置は、例えば、３Ｇなどの第２通信システム（第２ＲＡＴ）に設けられる無線制御装置（ＲＮＣ）である。
【０００３】
ここで、ネットワーク装置は、呼制御を行う複数の呼制御カードを有する。複数の呼制御カードのそれぞれは、複数の移動通信端末と設定する呼を制御する。例えば、呼制御カードは、移動通信端末に対して呼処理を指示するカード、移動通信端末と設定する呼の接続信号を終端するカードなどである（例えば、特許文献１）。
【０００４】
なお、故障等に起因する接続呼の切断を抑制するために、呼制御カードの冗長構成が採用されることもある。例えば、呼制御カードは、実際に用いられるアクティブ系の呼制御カードと、アクティブ系の呼制御カードの代替で用いられるスタンバイ系の呼制御カードとを含む。
【先行技術文献】
【特許文献】
【０００５】
【特許文献１】特開２００２−２７１０９号公報
【発明の概要】
【発明が解決しようとする課題】
【０００６】
ところで、近年では、環境等への配慮から、移動通信システム全体で省電力化が望まれている。例えば、上述した技術では、呼制御カードの熱負荷レベルに応じて、呼制御カードを冷却する冷却ファンの冷却能力を制御することによって、冷却ファンの低消費電力化が図られている。
【０００７】
しかしながら、上述した技術では、呼制御カードの低消費電力化について、十分に図ることができていない。
【０００８】
そこで、本発明は、上述した課題を解決するためになされたものであり、移動通信システムにおけるネットワーク装置の低消費電力化および適切な低消費電力運転の実現を図ることを可能とするネットワーク装置を提供することを目的とする。
【課題を解決するための手段】
【０００９】
第１の特徴に係るネットワーク装置は、複数の呼制御カードを有する。ネットワーク装置は、前記複数の呼制御カードの全体で制御する接続呼数が第１閾値を下回った場合に、前記複数の呼制御カードの中から、少なくとも１つの呼制御カードを選択するように構成された選択部と、前記選択部によって選択された呼制御カードを、新規呼の割り当てが制限された切断準備状態に遷移させるように構成された省電力制御部とを備える。
【００１０】
第１の特徴において、前記省電力制御部は、前記切断準備状態に遷移した呼制御カードで制御する接続呼数が第２閾値を下回った場合に、或いは、前記切断準備状態に遷移してから経過した時間が所定時間を超えた場合に、前記切断準備状態に遷移した呼制御カードに供給する電力を切断する。
【００１１】
第１の特徴において、前記複数の呼制御カードは、アクティブ系の呼制御カードと、前記アクティブ系の呼制御カードの代替で用いられるスタンバイ系の呼制御カードとを含む。前記省電力制御部は、前記複数の呼制御カードの全体で制御する接続呼数が第３閾値を下回った場合に、前記スタンバイ系の呼制御カードに供給する電力を切断する。
【００１２】
第１の特徴において、前記複数の呼制御カードは、複数のカードセットを含む。前記複数のカードセットのそれぞれは、アクティブ系の呼制御カードと、前記アクティブ系の呼制御カードの代替で用いられるスタンバイ系の呼制御カードとを含む。前記省電力制御部は、前記複数のカードセットのうち、接続呼数が第４閾値を下回ったカードセットに含まれる前記アクティブ系の呼制御カード及び前記スタンバイ系の呼制御カードの双方に供給する電力を切断する。
【００１３】
第１の特徴において、ネットワーク装置は、前記複数の呼制御カードのうち、いずれかの呼制御カードに新規呼を割り当てるように構成された割当部をさらに備える。前記割当部は、新規呼が割り当てられる呼制御カードが偏るように新規呼を割り当てる。
【００１４】
第１の特徴において、前記選択部は、前記複数の呼制御カードの中から、接続呼数が少ない呼制御カードを前記呼制御カードとして選択する。
【００１５】
第１の特徴において、ネットワーク装置は、前記切断準備状態に遷移した呼制御カードに格納されたユーザデータを前記切断準備状態に遷移していない呼制御カードに移行するように構成されたデータ移行部をさらに備える。
【００１６】
第１の特徴において、ネットワーク装置は、前記切断準備状態に遷移した呼制御カードと対応するセルから送信される信号の送信電力の低減を指示するように構成された指示部をさらに備える。
【００１７】
第１の特徴において、前記選択部は、前記複数の呼制御カードの全体で制御する接続呼のトラフィック量の履歴情報に基づいて、前記切断準備状態に遷移すべき呼制御カードを選択する。
【００１８】
第１の特徴において、前記選択部は、前記複数の呼制御カードで制御する接続呼数に影響を与えるイベント情報に基づいて、前記切断準備状態に遷移すべき呼制御カードを選択する。
【００１９】
第１の特徴において、前記選択部は、自装置に隣接（地理的・論理的な隣接関係は問わない）する他のネットワーク装置の状態に基づいて、前記切断準備状態に遷移すべき呼制御カードを選択する。
【００２０】
第２の特徴に係るネットワーク装置は、複数の呼制御カードを有する。ネットワーク装置は、前記複数の呼制御カードのうち、少なくとも１つの呼制御カードを、新規呼の割り当てが制限された切断準備状態に遷移させるように構成された省電力制御部を備える。前記省電力制御部は、前記複数の呼制御カードの全体で制御する接続呼数が第５閾値を上回った場合に、前記切断準備状態に遷移した呼制御カードを、新規呼の割り当てが許可された通常状態に遷移させる。
【００２１】
第２の特徴において、に係るネットワーク装置は、複数の呼制御カードを有する。ネットワーク装置は、前記省電力制御部は、複数の呼制御カードのうち、少なくとも１つの呼制御カードに供給する電力を切断する。前記省電力制御部は、前記複数の呼制御カードの全体で制御する接続呼数が第６閾値を上回った場合に、電力が切断された呼制御カードに対する電力の供給を再開する。
【００２２】
第２の特徴において、前記複数の呼制御カードは、アクティブ系の呼制御カードと、前記アクティブ系の呼制御カードの代替で用いられるスタンバイ系の呼制御カードとを含む。前記省電力制御部は、前記スタンバイ系の呼制御カードに供給する電力を切断する。前記省電力制御部は、前記複数の呼制御カードの全体で制御する接続呼数が第７閾値を上回った場合に、電力が切断されたスタンバイ系の呼制御カードに対する電力の供給を再開する。
【００２３】
第２の特徴において、前記複数の呼制御カードは、複数のカードセットを含む。前記複数のカードセットのそれぞれは、アクティブ系の呼制御カードと、前記アクティブ系の呼制御カードの代替で用いられるスタンバイ系の呼制御カードとを含む。前記省電力制御部は、前記複数のカードセットのうち、少なくとも１つのカードセットに供給する電力を切断する。前記省電力制御部は、前記複数の呼制御カードの全体で制御する接続呼数が第８閾値を上回った場合に、電力が切断されたカードセットに対する電力の供給を再開する。
【００２４】
第２の特徴において、前記省電力制御部は、災害情報の受信に応じて、前記切断準備状態に遷移した呼制御カードを前記通常状態に遷移させる。
【００２５】
第３の特徴に係るネットワーク装置は、複数のセルを配下に有する。ネットワーク装置は、前記複数のセルのそれぞれが設定する接続呼数を前記複数のセル毎に管理するように構成された管理部と、前記複数のセルのうち、接続呼数が第９閾値を下回ったセルから送信される信号の送信電力の低減を指示するように構成された指示部とを備える。
【発明の効果】
【００２６】
本発明によれば、呼制御カードの低消費電力化を図ることを可能とするネットワーク装置を提供することができる。
【図面の簡単な説明】
【００２７】
【図１】第１実施形態に係る移動通信システム１００を示す図である。
【図２】第１実施形態に係るネットワーク装置２０を示す図である。
【図３】第１実施形態に係る通信カード群２１を示す図である。
【図４】変更例１に係るネットワーク装置２０を示す図である。
【発明を実施するための形態】
【００２８】
以下において、本発明の実施形態に係る移動通信システムについて、図面を参照しながら説明する。なお、以下の図面の記載において、同一又は類似の部分には、同一又は類似の符号を付している。
【００２９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００３０】
［実施形態の概要］
実施形態に係るネットワーク装置は、複数の呼制御カードを有する。ネットワーク装置は、複数の呼制御カードの全体で制御する接続呼数が第１閾値を下回った場合に、複数の呼制御カードの中から、少なくとも１つの呼制御カードを選択するように構成された選択部と、選択部によって選択された呼制御カードを、新規呼の割り当てが制限された切断準備状態に遷移させるように構成された省電力制御部とを備える。
【００３１】
実施形態では、省電力制御部は、選択部によって選択された呼制御カードを、新規呼の割り当てが制限された切断準備状態に遷移させる。切断準備状態に遷移した呼制御カードに新規呼が割り当てられないため、切断準備状態に遷移した呼制御カードで制御する接続呼数は減少するのみである。従って、切断準備状態に遷移した呼制御カードに供給する電力を切断した場合に、接続呼の切断に伴う悪影響を軽減することができる。
【００３２】
実施形態に係るネットワーク装置は、複数の呼制御カードを有する。ネットワーク装置は、複数の呼制御カードのうち、少なくとも１つの呼制御カードを、新規呼の割り当てが制限された切断準備状態に遷移させるように構成された省電力制御部を備える。省電力制御部は、複数の呼制御カードの全体で制御する接続呼数が第５閾値を上回った場合に、切断準備状態に遷移した呼制御カードを、新規呼の割り当てが許可された通常状態に遷移させる。
【００３３】
実施形態では、省電力制御部は、複数の呼制御カードの全体で制御する接続呼数が増えた場合に、切断準備状態に遷移した呼制御カードを、新規呼の割り当てが許可された通常状態に遷移させる。従って、新規呼の呼損を抑制することができる。
【００３４】
［第１実施形態］
（移動通信システムの構成）
以下において、第１実施形態に係る移動通信システムの構成について、図面を参照しながら説明する。図１は、第１実施形態に係る移動通信システム１００を示す図である。
【００３５】
図１に示すように、移動通信システム１００は、通信端末装置１０（以下、ＵＥ１０）と、コアネットワーク５０とを含む。また、移動通信システム１００は、第１通信システムと第２通信システムとを含む。
【００３６】
第１通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第１通信システムは、基地局１１０（以下、ＮＢ１１０）と、ＲＮＣ１２０と、ＳＧＳＮ１３０とを有する。なお、第１通信システムでは、第１ＲＡＴ（Ｒａｄｉｏ  Ａｃｃｅｓｓ  Ｔｅｃｈｎｏｒｏｌｇｙ）が用いられる。
【００３７】
第２通信システムは、例えば、ＬＴＥ（Ｌｏｎｇ  Ｔｅｒｍ  Ｅｖｏｌｕｔｉｏｎ）に対応する通信システムである。第２通信システムは、例えば、基地局２１０（以下、ｅＮＢ２１０）と、ＭＭＥ２３０とを有する。なお、第２通信システムでは、第２ＲＡＴ（Ｒａｄｉｏ  Ａｃｃｅｓｓ  Ｔｅｃｈｎｏｒｏｌｇｙ）が用いられる。
【００３８】
ＵＥ１０は、第１通信システム及び第２通信システムと通信を行うように構成された装置（Ｕｓｅｒ  Ｅｑｕｉｐｍｅｎｔ）である。例えば、ＵＥ１０は、ＮＢ１１０と無線通信を行う機能を有するとともに、ｅＮＢ２１０と無線通信を行う機能を有する。
【００３９】
ＮＢ１１０は、セル１１１を有しており、セル１１１に存在するＵＥ１０と無線通信を行う装置（ＮｏｄｅＢ）である。
【００４０】
ＲＮＣ１２０は、ＮＢ１１０に接続されており、セル１１１に存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００４１】
ＳＧＳＮ１３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ１３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００４２】
ｅＮＢ２１０は、セル２１１を有しており、セル２１１に存在するＵＥ１０と無線通信を行う装置（ｅｖｏｌｖｅｄ  ＮｏｄｅＢ）である。
【００４３】
ＭＭＥ２３０は、ｅＮＢ２１０と無線接続を設定しているＵＥ１０の移動性を管理する装置（Ｍｏｂｉｌｉｔｙ  Ｍａｎａｇｅｍｅｎｔ  Ｅｎｔｉｔｙ）である。ＭＭＥ２３０は、コアネットワーク５０に設けられる。
【００４４】
なお、セルは、ＵＥ１０と無線通信を行う機能として理解すべきである。但し、セルは、セルと通信可能な範囲を示すサービスエリアと考えてもよい。セルは、セルで用いられる周波数、拡散コード又はタイムスロットなどによって識別される。
【００４５】
（ネットワーク装置の構成）
以下において、第１実施形態に係るネットワーク装置の構成について、図面を参照しながら説明する。図２は、第１実施形態に係るネットワーク装置２０を示す図である。
【００４６】
ネットワーク装置２０は、例えば、第１通信システムに設けられるＲＮＣ１２０であってもよい。或いは、ネットワーク装置２０は、例えば、第２通信システムに設けられるｅＮＢ２１０であってもよい。或いは、ネットワーク装置２０は、例えば、第２通信システムに設けられるＭＭＥ２３０であってもよい。
【００４７】
図２に示すように、ネットワーク装置２０は、通信カード群２１と、通信部２２と、選択部２３と、省電力制御部２４と、割当部２５と、指示部２６と、データ移行部２７とを有する。
【００４８】
通信カード群２１は、移動通信端末に対して呼処理を指示するカード、移動通信端末と設定する呼の接続信号を終端するカードなどの複数の呼制御カードを含む。また、通信カード群２１は、他のネットワーク装置と通信を行うためのカード、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）やＨＳＵＰＡ（Ｈｉｇｈ  Ｓｐｅｅｄ  Ｕｐｌｉｎｋ  Ｐａｃｋｅｔ  Ａｃｃｅｓｓ）などを制御するカードなどを含んでもよい。
【００４９】
第１実施形態では、通信カード群２１は、図３に示すように、複数のカードセット（例えば、カードセット＃１〜カードセット＃１２）を含む。各カードセットは、１対の呼制御カードによって構成される。１対の呼制御カードのうち、一方の呼制御カードは、アクティブ系の呼制御カードとして機能し、他方の呼制御カードは、スタンバイ系の呼制御カードとして機能する。
【００５０】
アクティブ系の呼制御カードは、実際に稼働する呼制御カードである。一方で、スタンバイ系の呼制御カードは、アクティブ系の呼制御カードの代替で用いられる呼制御カードである。
【００５１】
通信部２２は、ＵＥ１０と通信を行う。また、通信部２２は、他のネットワーク装置と通信を行う。
【００５２】
選択部２３は、通信カード群２１に含まれる複数の呼制御カード（ここでは、アクティブ系の呼制御カード）の全体で制御する接続呼数が第１閾値を下回った場合に、複数のアクティブ系の呼制御カードの中から、少なくとも１つのアクティブ系の呼制御カードを選択する。例えば、選択部２３は、複数のアクティブ系の呼制御カードの中から、接続呼数が少ないアクティブ系の呼制御カードを選択する。
【００５３】
省電力制御部２４は、通信カード群２１に含まれる複数の呼制御カードに供給する電力を省電力化するモード（以下、省電力モード）を制御する。
【００５４】
（１）以下において、通常状態から切断準備状態への遷移について説明する。
【００５５】
具体的には、省電力制御部２４は、選択部２３によって選択された呼制御カード（ここでは、アクティブ系の呼制御カード）を、新規呼の割り当てが制限された切断準備状態に遷移させる。すなわち、省電力制御部２４は、通信カード群２１に含まれる複数のアクティブ系の呼制御カードの全体で制御する接続呼数が第１閾値を下回った場合に、選択部２３によって選択されたアクティブ系の呼制御カードを切断準備状態に遷移させる。
【００５６】
（２）以下において、アクティブ系の呼制御カードに供給する電力の切断（省電力化）について説明する。
【００５７】
具体的には、省電力制御部２４は、切断準備状態に遷移したアクティブ系の呼制御カードで制御する接続呼数が第２閾値を下回った場合に、切断準備状態に遷移したアクティブ系の呼制御カードに供給する電力を切断する。或いは、省電力制御部２４は、切断準備状態に遷移してから経過した時間が所定時間を超えた場合に、切断準備状態に遷移したアクティブ系の呼制御カードに供給する電力を切断する。
【００５８】
なお、第２閾値は、例えば、“１”である。すなわち、省電力制御部２４は、切断準備状態に遷移したアクティブ系の呼制御カードで制御する接続呼数が“０”となった場合に、切断準備状態に遷移したアクティブ系の呼制御カードに供給する電力を切断する。但し、第２閾値は、“１”に限定されるものではない。
【００５９】
なお、省電力制御部２４は、アクティブ系の呼制御カードに供給する電力とともに、アクティブ系の呼制御カードの代替で用いるスタンバイ系の呼制御カードに供給する電力を切断することが好ましい。言い換えると、省電力制御部２４は、一のカードセットに含まれるアクティブ系の呼制御カードに供給する電力を切断する場合に、一のカードセットに含まれるスタンバイ系の呼制御カードに供給する電力も切断することが好ましい。
【００６０】
（３）以下において、スタンバイ系の呼制御カードに供給する電力の切断（省電力化）について説明する。
【００６１】
具体的には、省電力制御部２４は、通信カード群２１に含まれる複数の呼制御カード（ここでは、アクティブ系の呼制御カード）の全体で制御する接続呼数が第３閾値を下回った場合に、スタンバイ系の呼制御カードに供給する電力を切断する。
【００６２】
なお、第３閾値は、第１閾値よりも小さな値であってもよく、第１閾値よりも大きな値であってもよい。或いは、第３閾値は、第１閾値と同じ値であってもよい。
【００６３】
このようなケースでは、省電力制御部２４は、通信カード群２１に含まれるスタンバイ系の呼制御カードの全てに供給する電力を切断してもよい。或いは、省電力制御部２４は、通信カード群２１に含まれるスタンバイ系の呼制御カードの一部に供給する電力を切断してもよい。
【００６４】
（４）以下において、切断準備状態から通常状態への遷移について説明する。
【００６５】
具体的には、省電力制御部２４は、通信カード群２１に含まれる複数の呼制御カード（ここでは、アクティブ系の呼制御カード）の全体で制御する接続呼数が第５閾値を上回った場合に、切断準備状態に遷移したアクティブ系の呼制御カードを、新規呼の割当が許可された通常状態に遷移させる。
【００６６】
なお、第５閾値は、ヒステリシスを持たせる観点から、第１閾値よりも大きな値であることが好ましい。但し、第５閾値は、第１閾値と同じ値であってもよい。
【００６７】
（５）以下において、アクティブ系の呼制御カードに対する電力の供給の再開について説明する。
【００６８】
具体的には、省電力制御部２４は、通信カード群２１に含まれる複数の呼制御カード（ここでは、アクティブ系の呼制御カード）の全体で制御する接続呼数が第６閾値を上回った場合に、電力が切断されたアクティブ系の呼制御カードに対する電力の供給を再開する。
【００６９】
なお、第６閾値は、ヒステリシスを持たせる観点から、第２閾値よりも大きな値であることが好ましい。但し、第６閾値は、第２閾値と同じ値であってもよい。
【００７０】
（６）以下において、スタンバイ系の呼制御カードに対する電力の供給の再開について説明する。
【００７１】
具体的には、省電力制御部２４は、通信カード群２１に含まれる複数の呼制御カード（ここでは、アクティブ系の呼制御カード）の全体で制御する接続呼数が第７閾値を上回った場合に、電力が切断されたスタンバイ系の呼制御カードに対する電力の供給を再開する。
【００７２】
なお、第７閾値は、ヒステリシスを持たせる観点から、第３閾値よりも大きな値であることが好ましい。但し、第７閾値は、第３閾値と同じ値であってもよい。
【００７３】
割当部２５は、複数の呼制御カード（ここでは、アクティブ系の呼制御カード）のうち、いずれかのアクティブ系の呼制御カードに新規呼を割り当てる。ここで、割当部２５は、新規呼が割り当てられるアクティブ系の呼制御カードが偏るように新規呼を割り当てる。
【００７４】
例えば、割当部２５は、アクティブ系の呼制御カードに割り振られた番号が若い順に新規呼を割り当てる。すなわち、割当部２５は、最も若い番号のアクティブ系の呼制御カードで制御する接続呼数が上限に達した場合に、２番目に若い番号のアクティブ系の呼制御カードに新規呼を割り当てる。
【００７５】
なお、一般的には、制御負荷を分散する観点から、複数のアクティブ系の呼制御カードで制御する接続呼数が均等となるように新規呼を割り当てることが好ましい。これに対して、第１実施形態では、新規呼が割り当てられるアクティブ系の呼制御カードが偏るように新規呼を割り当てることによって、切断準備状態に遷移したアクティブ系の呼制御カードで制御する接続呼数が少ない。従って、切断準備状態に遷移したアクティブ系の呼制御カードに供給する電力を切断した場合に、接続呼の切断に伴う悪影響を軽減することができる。
【００７６】
指示部２６は、切断準備状態に遷移した呼制御カード（ここでは、アクティブ系の呼制御カード）と対応するセルから送信される信号の送信電力の低減を指示する。例えば、ネットワーク装置２０がＲＮＣ１２０である場合には、指示部２６は、切断準備状態に遷移したアクティブ系の呼制御カードと対応するセルを有するＮＢ１１０に対して、当該セルから送信される信号の送信電力の低減を指示する。また、ネットワーク装置２０がｅＮＢ２１０である場合には、指示部２６は、ｅＮＢ２１０の内部において、切断準備状態に遷移したアクティブ系の呼制御カードと対応するセルから送信される信号の送信電力の低減を指示する。
【００７７】
データ移行部２７は、切断準備状態に遷移した呼制御カード（ここでは、アクティブ系の呼制御カード）に格納されたユーザデータを切断準備状態に遷移していないアクティブ系の呼制御カードに移行する。
【００７８】
（作用及び効果）
第１実施形態では、省電力制御部２４は、選択部２３によって選択された呼制御カード（ここでは、アクティブ系の呼制御カード）を、新規呼の割り当てが制限された切断準備状態に遷移させる。切断準備状態に遷移したアクティブ系の呼制御カードに新規呼が割り当てられないため、切断準備状態に遷移したアクティブ系の呼制御カードで制御する接続呼数は減少するのみである。従って、切断準備状態に遷移したアクティブ系の呼制御カードに供給する電力を切断した場合に、接続呼の切断に伴う悪影響を軽減することができる。
【００７９】
第１実施形態では、省電力制御部２４は、切断準備状態に遷移したアクティブ系の呼制御カードで制御する接続呼数が減った場合に、切断準備状態に遷移したアクティブ系の呼制御カードに供給する電力を切断する。従って、切断準備状態に遷移したアクティブ系の呼制御カードに供給する電力を切断した場合に、接続呼の切断に伴う悪影響を軽減することができる。
【００８０】
第１実施形態では、省電力制御部２４は、通信カード群２１に含まれる複数の呼制御カード（ここでは、アクティブ系の呼制御カード）の全体で制御する接続呼数が減った場合に、スタンバイ系の呼制御カードに供給する電力を切断する。すなわち、アクティブ系の呼制御カードの故障に起因する接続呼の切断数が少ない場合に、スタンバイ系の呼制御カードに供給する電力が切断される。従って、アクティブ系の呼制御カードの故障に起因する悪影響を軽減しながら、省電力化を図ることができる。なお、アクティブ系の呼制御カードの故障しなければ、接続呼の切断が生じないことに留意すべきである。
【００８１】
第１実施形態では、省電力制御部２４は、複数の呼制御カード（ここでは、アクティブ系の呼制御カード）の全体で制御する接続呼数が増えた場合に、切断準備状態に遷移したアクティブ系の呼制御カードを、新規呼の割り当てが許可された通常状態に遷移させる。従って、新規呼の呼損を抑制することができる。
【００８２】
第１実施形態では、省電力制御部２４は、通信カード群２１に含まれる複数の呼制御カード（ここでは、アクティブ系の呼制御カード）の全体で制御する接続呼数が増えた場合に、電力が切断されたアクティブ系の呼制御カードに対する電力の供給を再開する。従って、新規呼の呼損を抑制することができる。
【００８３】
第１実施形態では、省電力制御部２４は、通信カード群２１に含まれる複数の呼制御カード（ここでは、アクティブ系の呼制御カード）の全体で制御する接続呼数が増えた場合に、電力が切断されたスタンバイ系の呼制御カードに対する電力の供給を再開する。すなわち、アクティブ系の呼制御カードの故障に起因する接続呼の切断数が多い場合に、スタンバイ系の呼制御カードに対する電力の供給が再開される。従って、アクティブ系の呼制御カードの故障に起因する接続呼の切断が抑制される。
【００８４】
第１実施形態では、割当部２５は、複数の呼制御カード（ここでは、アクティブ系の呼制御カード）のうち、いずれかのアクティブ系の呼制御カードに新規呼を割り当てる。従って、切断準備状態に遷移したアクティブ系の呼制御カードで制御する接続呼数が少なくできる。
【００８５】
第１実施形態では、指示部２６は、切断準備状態に遷移した呼制御カード（ここでは、アクティブ系の呼制御カード）と対応するセルから送信される信号の送信電力の低減を指示する。従って、切断準備状態に遷移したアクティブ系の呼制御カードで制御される接続呼数を速やかに減らすことができる。
【００８６】
第１実施形態では、データ移行部２７は、切断準備状態に遷移した呼制御カード（ここでは、アクティブ系の呼制御カード）に格納されたユーザデータを切断準備状態に遷移していないアクティブ系の呼制御カードに移行する。従って、接続呼の切断を伴わずに、切断準備状態に遷移したアクティブ系の呼制御カードで制御される接続呼数を速やかに減らすことができる。
【００８７】
［変更例１］
以下において、第１実施形態の変更例１について、図面を参照しながら説明する。以下においては、第１実施形態との相違点について主として説明する。
【００８８】
具体的には、第１実施形態では、ネットワーク装置２０は、切断準備状態に遷移した呼制御カード（ここでは、アクティブ系の呼制御カード）と対応するセルから送信される信号の送信電力の低減を指示する。これに対して、変更例１では、ネットワーク装置２０は、ネットワーク装置２０の配下に設けられた複数のセルのうち、接続呼数が第９閾値を下回ったセルから送信される信号の送信電力の低減を指示する。
【００８９】
（ネットワーク装置の構成）
以下において、変更例１に係るネットワーク装置の構成について、図面を参照しながら説明する。図４は、変更例１に係るネットワーク装置２０を示す図である。なお、図４では、図２と同様の構成について、同様の符号を付している。
【００９０】
ネットワーク装置２０は、複数のセルを配下に有する装置であればよい。従って、ネットワーク装置２０は、ＲＮＣ１２０であってもよく、ｅＮＢ２１０であってもよく、ＭＭＥ２３０であってもよい。
【００９１】
図４に示すように、ネットワーク装置２０は、図２に示す構成に加えて、管理部２８を有する。
【００９２】
管理部２８は、ネットワーク装置２０の配下に設けられた複数のセルのそれぞれが設定する接続呼数を複数のセル毎に管理する。
【００９３】
上述した指示部２６は、ネットワーク装置２０の配下に設けられた複数のセルのうち、接続呼数が第９閾値を下回ったセルから送信される信号の送信電力の低減を指示する。
【００９４】
［変更例２］
以下において、第１実施形態の変更例２について説明する。以下においては、第１実施形態との相違点について主として説明する。
【００９５】
変更例２では、上述した選択部２３は、通信カード群２１に含まれる複数の呼制御カード（ここでは、アクティブ系の呼制御カード）の全体で制御する接続呼のトラフィック量の履歴情報に基づいて、切断準備状態に遷移すべきアクティブ系の呼制御カードを選択する。トラフィック量の履歴情報は、トラフィック量の移動平均の履歴、日時毎のトラフィック量の履歴、曜日毎のトラフィック量の履歴、時間帯毎のトラフィック量の履歴を示す情報である。
【００９６】
具体的には、選択部２３は、現在の時刻から所定時間内におけるトラフィック量の履歴情報が所定閾値を上回る場合には、複数のアクティブ系の呼制御カードの全体で制御する接続呼数が第１閾値を下回った場合であっても、切断準備状態に遷移すべきアクティブ系の呼制御カードを選択する。
【００９７】
一方で、選択部２３は、現在の時刻から所定時間内におけるトラフィック量の履歴情報が所定閾値を下回る場合には、複数のアクティブ系の呼制御カードの全体で制御する接続呼数が第１閾値を下回った場合に、切断準備状態に遷移すべきアクティブ系の呼制御カードを選択する。
【００９８】
なお、省電力制御部２４は、選択部２３によって選択されたアクティブ系の呼制御カードを通常状態から切断準備状態に遷移させる。
【００９９】
また、省電力制御部２４は、現在の時刻から所定時間内におけるトラフィック量の履歴情報が所定閾値を上回る場合には、切断準備状態に遷移した呼制御カード（ここでは、アクティブ系の呼制御カード）を通常状態に遷移させてもよい。
【０１００】
変更例２によれば、現在の時刻から所定時間内におけるトラフィック量の履歴情報が所定閾値を上回る場合に、切断準備状態に遷移すべきアクティブ系の呼制御カードが選択されない。従って、トラフィックの増大が見込まれる場合に、通常状態のアクティブ系の呼制御カード数の不足を抑制することができる。
【０１０１】
［変更例３］
以下において、第１実施形態の変更例３について説明する。以下においては、第１実施形態との相違点について主として説明する。
【０１０２】
変更例３では、上述した選択部２３は、通信カード群２１に含まれる複数の呼制御カード（ここでは、複数の）の全体で制御する接続呼数に影響を与えるイベント情報に基づいて、切断準備状態に遷移すべきアクティブ系の呼制御カードを選択する。イベント情報は、接続呼数が急峻に増大すると考えられるイベント（例えば、元旦、コンサート）の日時を示す情報である。イベント情報は、例えば、外部から入力される。
【０１０３】
具体的には、選択部２３は、現在の日時から所定時間内にイベント情報によって示される日時が存在する場合には、複数のアクティブ系の呼制御カードの全体で制御する接続呼数が第１閾値を下回った場合であっても、切断準備状態に遷移すべきアクティブ系の呼制御カードを選択しない。
【０１０４】
一方で、選択部２３は、現在の日時から所定時間内にイベント情報によって示される日時が存在しない場合には、複数のアクティブ系の呼制御カードの全体で制御する接続呼数が第１閾値を下回った場合に、切断準備状態に遷移すべきアクティブ系の呼制御カードを選択する。
【０１０５】
例えば、切断準備状態に遷移すべきアクティブ系の呼制御カードを選択する場合において、選択部２３は、複数のアクティブ系の呼制御カードの中から、接続呼数が少ないアクティブ系の呼制御カードを選択する。
【０１０６】
なお、省電力制御部２４は、選択部２３によって選択されたアクティブ系の呼制御カードを通常状態から切断準備状態に遷移させる。
【０１０７】
また、省電力制御部２４は、現在の日時から所定時間内にイベント情報によって示される日時が存在する場合には、切断準備状態に遷移した呼制御カード（ここでは、アクティブ系の呼制御カード）を通常状態に遷移させてもよい。
【０１０８】
変更例３によれば、現在の日時から所定時間内にイベント情報によって示される日時が存在する場合に、切断準備状態に遷移すべきアクティブ系の呼制御カードが選択されない。従って、元旦やコンサートなどのイベントに伴って、自装置の接続呼数の増大が見込まれる場合に、通常状態のアクティブ系の呼制御カード数の不足を抑制することができる。
【０１０９】
［変更例４］
以下において、第１実施形態の変更例４について説明する。以下においては、第１実施形態との相違点について主として説明する。
【０１１０】
変更例４では、上述した選択部２３は、自装置に隣接（地理的・論理的な隣接関係は問わない）する他のネットワーク装置の状態に基づいて、切断準備状態に遷移すべき呼制御カードを選択する。なお、他のネットワーク装置は、自装置が管理するエリアに隣接するエリアを管理する装置である。
【０１１１】
具体的には、選択部２３は、自装置に隣接（地理的・論理的な隣接関係は問わない）する他のネットワーク装置が故障している場合には、複数のアクティブ系の呼制御カードの全体で制御する接続呼数が第１閾値を下回った場合であっても、切断準備状態に遷移すべきアクティブ系の呼制御カードを選択しない。
【０１１２】
一方で、選択部２３は、自装置に隣接（地理的・論理的な隣接関係は問わない）する他のネットワーク装置が故障していない場合には、複数のアクティブ系の呼制御カードの全体で制御する接続呼数が第１閾値を下回った場合に、切断準備状態に遷移すべきアクティブ系の呼制御カードを選択する。
【０１１３】
なお、省電力制御部２４は、選択部２３によって選択されたアクティブ系の呼制御カードを通常状態から切断準備状態に遷移させる。
【０１１４】
また、省電力制御部２４は、自装置に隣接（地理的・論理的な隣接関係は問わない）する他のネットワーク装置が故障している場合には、切断準備状態に遷移した呼制御カード（ここでは、アクティブ系の呼制御カード）を通常状態に遷移させてもよい。
【０１１５】
変更例４によれば、自装置に隣接（地理的・論理的な隣接関係は問わない）する他のネットワーク装置が故障している場合に、切断準備状態に遷移すべきアクティブ系の呼制御カードが選択されない。従って、他のネットワーク装置の故障に伴って、自装置の接続呼数の増大が見込まれる場合に、通常状態のアクティブ系の呼制御カード数の不足を抑制することができる。
【０１１６】
［変更例５］
以下において、第１実施形態の変更例５について説明する。以下においては、第１実施形態との相違点について主として説明する。
【０１１７】
変更例５では、上述した省電力制御部２４は、災害情報の受信に応じて、切断準備状態に遷移した呼制御カード（ここでは、アクティブ系の呼制御カード）を通常状態に遷移させる。災害情報は、自装置よりも上位のネットワーク装置から受信され、移動局或いは自装置よりも下位のネットワーク装置（以下、移動局等）に送信される。災害情報は、例えば、地震や津波などの災害情報（例えば、ＥＴＷＳ（Ｅａｒｔｈｑｕａｋｅ  Ｔｓｕｎａｍｉ  Ｗａｒｎｉｎｇ  Ｓｙｓｔｅｍ）情報）である。
【０１１８】
変更例５によれば、災害情報の受信に応じて切断準備状態を解除することによって、通常状態のアクティブ系の呼制御カード数の不足によって災害情報を移動局等に送信できない状況を抑制することができる。
【０１１９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１２０】
第１通信システム及び第２通信システムは、ＵＭＴＳやＬＴＥに対応する通信システムに限定されるものではなく、他の通信システム（例えば、ＷｉＭＡＸに対応する通信システム）であってもよい。
【０１２１】
省電力制御部２４は、複数のカードセットのうち、接続呼数が第４閾値を下回ったカードセットに含まれるアクティブ系の呼制御カード及びスタンバイ系の呼制御カードの双方に供給する電力を切断してもよい。また、省電力制御部２４は、複数の呼制御カードの全体で制御する接続呼数が第８閾値を上回った場合に、電力が切断されたカードセットに含まれるアクティブ系の呼制御カード及びスタンバイ系の呼制御カードの双方に対する電力の供給を再開してもよい。
【０１２２】
なお、上述したネットワーク装置２０の動作は、ハードウェアによって実施されてもよいし、プロセッサによって実行されるソフトウェアモジュールによって実施されてもよいし、両者の組み合わせによって実施されてもよい。
【０１２３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ネットワーク装置２０内に設けられていてもよい。また、かかる記憶媒体及びプロセッサは、ディスクリートコンポーネントとしてネットワーク装置２０内に設けられていてもよい。
【符号の説明】
【０１２５】
１０…通信端末装置、２０…ネットワーク装置、２１…通信カード群、２２…通信部、２３…選択部、２４…省電力制御部、２５…割当部、２６…指示部、２７…データ移行部、２８…管理部、３０…無線制御装置５０…コアネットワーク、１１０…ＮＢ、１１１…セル、１２０…ＲＮＣ、１３０…ＳＧＳＮ、２１０…ｅＮＢ、２１１…セル、２３０…ＭＭＥ、１００…移動通信システム
【図１】
2012029268.tif 000003
【図２】
2012029268.tif 000004
【図３】
2012029268.tif 000005
【図４】
2012029268.tif 000006